(57)【要約】【課題】  複数の電子機器で所定の動作停止処理が行われている間に、例えば、ある電子機器内のある監視対象で何らかの異常が発生した場合、管理者が次にその電子機器を利用しようとするときになって、初めてその電子機器での障害発生を知るという問題点がある。【解決手段】  複数の電子機器と、各前記電子機器内に設けられた監視対象と、商用電源に接続され、前記複数の電子機器に電力を供給する電源部と、商用電源とは独立して電力を供給できるバッテリ部とを備え、前記電源部からの全ての前記電子機器への電力の供給の停止を検出した場合、予め定めた順番に従って、前記複数の電子機器に前記バッテリ部から電力を順次供給し、電力を供給されている電子機器内の前記監視対象の状態を確認し、確認された該監視対象の状態を示す動作情報を外部に出力することにより上記課題を解決する。【選択図】      図１
2014108002.tif 000002
【特許請求の範囲】
【請求項１】
複数の電子機器と、
各前記電子機器内に設けられた監視対象と、
商用電源に接続され、前記複数の電子機器に電力を供給する電源部と、
商用電源とは独立して電力を供給できるバッテリ部と、
前記電源部からの全ての前記複数の電子機器への電力の供給の停止を検出した場合、予め定めた順番に従って、前記複数の電子機器に前記バッテリ部から電力を順次供給し、電力を供給されている電子機器内の前記監視対象の状態を確認し、確認された該監視対象の状態を示す動作情報を外部に出力する状態確認手段と
から構成されたことを特徴とする電子機器搭載部品状態確認システム。
【請求項２】
少なくとも一つの電子機器と、
前記電子機器内に設けられた監視対象と、
商用電源に接続され、前記電子機器に電力を供給する電源部と、
商用電源とは独立して電力を供給できるバッテリ部と、
前記電源部からの全ての前記電子機器への電力の供給の停止を検出した場合、全ての前記電子機器に前記バッテリ部から電力を同時に供給し、電力を供給されている電子機器内の前記監視対象の状態を確認し、確認された該監視対象の状態を示す動作情報を外部に出力する状態確認手段と
から構成されたことを特徴とする電子機器搭載部品状態確認システム。
【請求項３】
複数の電子機器と、
各前記電子機器内に設けられた監視対象と、
商用電源に接続され、前記複数の電子機器の動作停止時にも前記複数の電子機器に電力を供給可能な電源部と、
全ての前記複数の電子機器の動作の停止を検出した場合、予め定めた順番に従って、前記複数の電子機器に前記電源部から電力を順次供給し、電力を供給されている電子機器内の前記監視対象の状態を確認し、確認された該監視対象の状態を示す動作情報を外部に出力する状態確認手段と
から構成されたことを特徴とする電子機器搭載部品状態確認システム。
【請求項４】
少なくとも１つの電子機器と、
前記電子機器内に設けられた監視対象と、
商用電源に接続され、前記電子機器の動作停止時にも前記電子機器に電力を供給可能な電源部と、
全ての前記電子機器の動作の停止を検出した場合、全ての前記電子機器に前記電源部から電力を同時に供給し、電力を供給されている電子機器内の前記監視対象の状態を確認し、確認された該監視対象の状態を示す動作情報を外部に出力する状態確認手段と
から構成されたことを特徴とする電子機器搭載部品状態確認システム。
【請求項５】
商用電源に接続された電源部からの複数の電子機器の全てへの電力の供給の停止を検出する検出ステップと、
前記検出ステップで電力の供給の停止を検出した場合、予め定めた順番に従って、商用電源とは独立したバッテリ部から前記複数の電子機器に電力を順次供給し、電力を供給された前記電子機器内の監視対象の状態を確認する確認ステップと、
前記確認ステップで確認された前記監視対象の状態を示す動作情報を外部に出力する出力ステップと
を含むことを特徴とする電子機器搭載部品状態確認方法。
【請求項６】
商用電源に接続された電源部からの、少なくとも１つの電子機器の全てへの電力の供給の停止を検出する検出ステップと、
前記検出ステップで電力の供給の停止を検出した場合、商用電源とは独立したバッテリ部から全ての前記電子機器に電力を同時に供給し、電力を供給された前記電子機器内の監視対象の状態を確認する確認ステップと、
前記確認ステップで確認された前記監視対象の状態を示す動作情報を外部に出力する出力ステップと
を含むことを特徴とする電子機器搭載部品状態確認方法。
【請求項７】
複数の電子機器の全てが動作を停止したことを検出する検出ステップと、
前記検出ステップで動作の停止を検出した場合、予め定めた順番に従って、商用電源に接続された電源部から前記複数の電子機器に電力を順次供給し、電力を供給された前記電子機器内の監視対象の状態を確認する確認ステップと、
前記確認ステップで確認された前記監視対象の状態を示す動作情報を外部に出力する出力ステップと
を含むことを特徴とする電子機器搭載部品状態確認方法。
【請求項８】
少なくとも１つの電子機器の全てが動作を停止したことを検出する検出ステップと、
前記検出ステップで動作の停止を検出した場合、商用電源に接続された電源部から全ての前記電子機器に電力を同時に供給するステップし、電力を供給された前記電子機器内の監視対象の状態を確認する確認ステップと、
前記確認ステップで確認された前記監視対象の状態を示す動作情報を外部に出力する出力ステップと
を含むことを特徴とする電子機器搭載部品状態確認方法。
【発明の詳細な説明】
【技術分野】
【０００１】
本発明は、電子機器搭載部品状態確認システムおよび電子機器搭載部品状態確認方法に関し、特に、電子機器の動作停止後に、該電子機器に搭載された電子部品の状態を確認するための電子機器搭載部品状態確認システムおよび電子機器搭載部品状態確認方法に関する。
【背景技術】
【０００２】
コンピュータやネットワーク機器の重要性は年々高まりつつあり、いまや社会インフラの１つとなっている。
【０００３】
図２を参照すると、そのようなコンピュータやネットワーク機器を構成する複数の電子機器２２０が筐体２００に搭載されている。そして、筐体２００には、さらに、筐体管理モジュール２１０および筐体管理モジュールコントローラ部２１１が設けられ、また、筐体２００に搭載された複数の電子機器２２０にはそれぞれ電子機器管理部２２２が設けられている。
【０００４】
各電子機器管理部２２２は自身が設けられている電子機器２２０上の複数の監視対象（ＣＰＵ、メモリ等の電子部品）２２１の動作状態を監視し、ある監視対象２２１に異常があった場合、その異常の内容（以下、「異常情報」と言う。）を電子機器記憶部２２４にログとして記録する。
【０００５】
筐体管理モジュールコントローラ部２１１は、各電子機器管理部２２２を監視しており、管理部２２２が電子機器記憶部２２４に異常情報を記録した場合、その記録された異常情報を読み出し、出力装置（図示せず）を介して管理者に通知する。
【０００６】
今、このようなコンピュータやネットワーク機器の動作を停止させる場合、まず、管理者からの動作停止指示（例えば、動作を停止させるための電源スイッチの押下等）に応答して、筐体管理モジュールコントローラ部２１１は、各電子機器２２０の電子機器管理部２２２に対し、自電子機器において所定の動作停止処理を実行するよう指示する。
【０００７】
これに応答して、各電子機器管理部２２２は、自身が設けられた電子機器２２０に動作停止処理を実行させる。
【０００８】
なお、関連技術として、特許文献１には、複数の無停電電源装置を並列に接続して運転する並列給電システムが開示されている。
【先行技術文献】
【特許文献】
【０００９】
【特許文献１】特開２００７−０２８８３７号広報
【発明の概要】
【発明が解決しようとする課題】
【００１０】
しかしながら、図２に示す構成においては、上述した所定の動作停止処理が行われている間に、例えば、ある電子機器２２０内のある監視対象２２１で何らかの異常が発生した場合に、筐体管理モジュールコントローラ部２１１や各電子機器管理部２２２は既に動作停止状態になっている可能性があるため、その場合には、その異常を発見して異常情報として管理者に知らせるということはできない。その結果、管理者は、当該電子機器を次に利用しようとしたときになって初めて異常が発生していたことを知ることになるという問題点がある。
【００１１】
なお、特許文献１には、動作停止処理を行っている間に発生する異常の発見等に関する技術については何ら開示されていない。
【００１２】
本発明の目的は、上述した問題点を解決できる電子機器搭載部品状態確認システムおよび電子機器搭載部品状態確認方法を提供することにある。
【課題を解決するための手段】
【００１３】
本発明の電子機器搭載部品状態確認システムは、
複数の電子機器と、
各前記電子機器内に設けられた監視対象と、
商用電源に接続され、前記複数の電子機器に電力を供給する電源部と、
商用電源とは独立して電力を供給できるバッテリ部と、
前記電源部からの全ての前記複数の電子機器への電力の供給の停止を検出した場合、予め定めた順番に従って、前記複数の電子機器に前記バッテリ部から電力を順次供給し、電力を供給されている電子機器内の前記監視対象の状態を確認し、確認された該監視対象の状態を示す動作情報を外部に出力する状態確認手段と
から構成される。
【００１４】
さらに、本発明の電子機器搭載部品状態確認システムは、
少なくとも一つの電子機器と、
前記電子機器内に設けられた監視対象と、
商用電源に接続され、前記電子機器に電力を供給する電源部と、
商用電源とは独立して電力を供給できるバッテリ部と、
前記電源部からの全ての前記電子機器への電力の供給の停止を検出した場合、全ての前記電子機器に前記バッテリ部から電力を同時に供給し、電力を供給されている電子機器内の前記監視対象の状態を確認し、確認された該監視対象の状態を示す動作情報を外部に出力する状態確認手段と
から構成される。
【００１５】
さらに、本発明の電子機器搭載部品状態確認システムは、
複数の電子機器と、
各前記電子機器内に設けられた監視対象と、
商用電源に接続され、前記複数の電子機器の動作停止時にも前記複数の電子機器に電力を供給可能な電源部と、
全ての前記複数の電子機器の動作の停止を検出した場合、予め定めた順番に従って、前記複数の電子機器に前記電源部から電力を順次供給し、電力を供給されている電子機器内の前記監視対象の状態を確認し、確認された該監視対象の状態を示す動作情報を外部に出力する状態確認手段と
から構成される。
【００１６】
さらに、本発明の電子機器搭載部品状態確認システムは、
少なくとも１つの電子機器と、
前記電子機器内に設けられた監視対象と、
商用電源に接続され、前記電子機器の動作停止時にも前記電子機器に電力を供給可能な電源部と、
全ての前記電子機器の動作の停止を検出した場合、全ての前記電子機器に前記電源部から電力を同時に供給し、電力を供給されている電子機器内の前記監視対象の状態を確認し、確認された該監視対象の状態を示す動作情報を外部に出力する状態確認手段と
から構成される。
【００１７】
また、本発明の電子機器搭載部品状態確認方法は、
商用電源に接続された電源部からの複数の電子機器の全てへの電力の供給の停止を検出する検出ステップと、
前記検出ステップで電力の供給の停止を検出した場合、予め定めた順番に従って、商用電源とは独立したバッテリ部から前記複数の電子機器に電力を順次供給し、電力を供給された前記電子機器内の監視対象の状態を確認する確認ステップと、
前記確認ステップで確認された前記監視対象の状態を示す動作情報を外部に出力する出力ステップと
を含む。
【００１８】
さらに、本発明の電子機器搭載部品状態確認方法は、
商用電源に接続された電源部からの、少なくとも１つの電子機器の全てへの電力の供給の停止を検出する検出ステップと、
前記検出ステップで電力の供給の停止を検出した場合、商用電源とは独立したバッテリ部から全ての前記電子機器に電力を同時に供給し、電力を供給された前記電子機器内の監視対象の状態を確認する確認ステップと、
前記確認ステップで確認された前記監視対象の状態を示す動作情報を外部に出力する出力ステップと
を含む。
【００１９】
さらに、本発明の電子機器搭載部品状態確認方法は、
複数の電子機器の全てが動作を停止したことを検出する検出ステップと、
前記検出ステップで動作の停止を検出した場合、予め定めた順番に従って、商用電源に接続された電源部から前記複数の電子機器に電力を順次供給し、電力を供給された前記電子機器内の監視対象の状態を確認する確認ステップと、
前記確認ステップで確認された前記監視対象の状態を示す動作情報を外部に出力する出力ステップと
を含む。
【００２０】
さらに、本発明の電子機器搭載部品状態確認方法は、
少なくとも１つの電子機器の全てが動作を停止したことを検出する検出ステップと、
前記検出ステップで動作の停止を検出した場合、商用電源に接続された電源部から全ての前記電子機器に電力を同時に供給するステップし、電力を供給された前記電子機器内の監視対象の状態を確認する確認ステップと、
前記確認ステップで確認された前記監視対象の状態を示す動作情報を外部に出力する出力ステップと
を含む。
【発明の効果】
【００２１】
本発明には、複数の電子機器で所定の動作停止処理が行われている間に、例えば、ある電子機器内のある監視対象で何らかの異常が発生した場合でも、次にその電子機器を利用する前にその異常を発見して、その電子機器での障害発生を管理者に知らせることができるという効果がある。
【図面の簡単な説明】
【００２２】
【図１】図１は、本発明の第１および第２の実施形態を示すブロック図である。
【図２】図２は、一般的なコンピュータやネットワーク機器の構成の一例を示すブロック図である。
【図３】図３は、本発明の第１の実施形態における動作の概要を示すフローチャートである。
【発明を実施するための形態】
【００２３】
次に、本発明の実施の形態について図面を参照して詳細に説明する。
【００２４】
［第１の実施形態］
図１は本発明の第１の実施形態を示すブロック図である。
【００２５】
図１を参照すると、本実施形態は、筐体１００と、管理端末１５０と、ネットワーク１６０とから構成され、筐体１００には、筐体管理モジュール１１０と、複数の電子機器１２０と、電源部１３０とが搭載されている。
【００２６】
筐体管理モジュール１１０は、複数の電子機器１２０の管理を行うものであり、筐体管理モジュールコントローラ部１１１と、バッテリ部１１２と、筐体記憶部１１４と、情報伝送部１１５とを含む。
【００２７】
筐体管理モジュールコントローラ部１１１は、後述する電子機器管理部１２２と接続されており、電子機器１２０内の複数の監視対象１２１の動作状態の情報（以下、「動作情報」とも言う。）を管理部１２２から受信して筐体記憶部１１４に格納する。
【００２８】
バッテリ部１１２は、電源部１３０からの電力の供給が途絶えた場合に、筐体管理モジュール１１０内の、電力を必要とする、各部および各電子機器１２０内の、電力を必要とする、各部へ電力を供給することができる。
【００２９】
筐体記憶部１１４は、それぞれ複数の監視対象１２１を含む複数の電子機器１２０において状態確認処理を行う場合に、該状態確認処理が行われる電子機器１２０の順番を示す情報（以下、「順番情報」と言う。）を保持すると共に、電子機器管理部１２２から受信した電子機器１２０内の監視対象１２１の動作情報をログとして保持する。
【００３０】
情報伝送部１１５は、管理端末１５０との間でデータの授受を行う。
【００３１】
各電子機器１２０は、電子機器管理部１２２と、監視対象１２１と、電子機器記憶部１２４とを含む。
【００３２】
監視対象１２１は、電子機器２００を構成するＣＰＵやメモリ等の予め定めた電子部品等である。
【００３３】
電子機器管理部１２２は、筐体管理モジュールコントローラ部１１１と接続されており、自身が設けられている電子機器１２０内の監視対象１２１の動作状態を監視し、該監視対象１２１の動作情報をログとして電子機器記憶部１２４に格納すると共に、該動作情報を筐体管理モジュールコントローラ部１１１に送信する。
【００３４】
商用電源に接続された電源部１３０は、各電子機器１２０内の、電力を必要とする、各部および筐体管理モジュール１１０内の、電力を必要とする、各部に電力を供給し、一方、上記各部への電力の供給を停止した場合には、その旨を示す電源供給断信号をバッテリ部１１２に送信する機能を持つ。
【００３５】
管理端末１５０は、管理者に情報を提供するためのディスプレイ等の出力手段と、管理者が情報を入力するためのキーボード等の入力手段とを備え、該出力手段は監視対象１２１の動作情報の表示を行う。ここで、管理端末１５０は、例えば、パーソナルコンピュータ、タブレット型の端末およびＰＤＡ（Ｐｅｒｓｏｎａｌ  Ｄｉｇｉｔａｌ  Ａｓｓｉｓｔａｎｔ）端末等で実現されるが、これらに限定されるものではない。
【００３６】
ネットワーク１６０は、情報伝送部１１５と管理端末１５０とを接続する。
【００３７】
次に、本実施形態の動作について、図３のフローチャートを参照して詳細に説明する。
【００３８】
図３は、商用電源からの電力の供給が途絶えたときの動作の概要を示すフローチャートである。
【００３９】
ここで、管理者は管理端末１５０の上記入力手段から上記順番情報を事前に入力し、筐体記憶部１１４に格納しておくものとする。
【００４０】
図３を参照すると、まず、電源部１３０が全ての電子機器１２０への電力の供給を停止した場合に、筐体管理モジュール１１０のバッテリ部１１２は、電源供給断信号を電源部１３０から受信し（ステップＳ１０１）、筐体管理モジュール１１０内の、電力を必要とする、各部への電力の供給を開始する（ステップＳ１０２）。
【００４１】
次に、筐体管理モジュールコントローラ部１１１は、筐体記憶部１１４から順番情報を読み出し、該順番情報に基づき最初に処理すべき電子機器１２０を選択する（ステップＳ１０３）。
【００４２】
次に、筐体管理モジュールコントローラ部１１１は、バッテリ部１１２に対し選択された電子機器１２０の電子機器管理部１２２、監視対象１２１および電子機器記憶部１２４への電力の供給を開始するよう指示し、バッテリ部１１２はこの指示に応答して電力の供給を開始する（ステップＳ１０４）。
【００４３】
次に、上記ステップＳ１０４でバッテリ１１２からの電力の供給を受けた電子機器管理部１２２は、監視対象１２１の状態を確認し、確認結果を動作情報として電子機器記憶部１２４に格納すると共に、その動作情報を筐体管理モジュールコントローラ部１１１に送信する。そして、筐体管理モジュールコントローラ部１１１は受信した動作情報を筐体記憶部１１４に格納する（ステップＳ１０５）。
【００４４】
次に、筐体管理モジュールコントローラ部１１１は、ステップＳ１０３で筐体記憶部１１４から読み出した順番情報から、次に処理すべき電子機器１２０を選択し、ステップＳ１０４に戻り、当該電子機器１２０内の監視対象１２１の動作情報の確認を行う。そして、全ての電子機器１２０内の監視対象１２１の動作情報の確認が終わった場合、次のステップＳ１０７に進む（ステップＳ１０６）。
【００４５】
全ての電子機器１２０内の監視対象１２１の動作情報の確認が終わった場合（ステップＳ１０６でＹＥＳの場合）、筐体管理モジュールコントローラ部１１１は、監視対象１２１の動作情報を筐体記憶部１１４から読出し、管理端末１５０に送信する（ステップＳ１０７）。
【００４６】
以上で、筐体管理モジュール１１０は動作を終了する。
【００４７】
以上、説明したように、本実施形態では、筐体１００に搭載されている複数の電子機器１２０で所定の動作停止処理が行われている間に、例えば、ある電子機器１２０内のある監視対象１２１で何らかの異常が発生した場合でも、次にその電子機器１２０を利用する前にその異常を発見して、その電子機器１２０での障害発生を管理者に知らせることができるという効果がある。
【００４８】
その理由は、電源部１３０から全ての電子機器１２０への電力の供給が途絶えた後でも、バッテリ部１１２から、監視対象１２１に電力を供給できるからである。
【００４９】
［第２の実施形態］
次に、本発明の第２の実施形態について説明する。
【００５０】
なお、本実施形態についての以下の説明では、第１の実施形態の構成要素および動作と同一のそれらについてはその説明を省略する。
【００５１】
本実施形態の構成は、図１に示す第１の実施形態の構成と基本的には同様であるが、筐体記憶部１１４は、第１の実施形態で使用された順番情報を保持しない。
【００５２】
すなわち、第１の実施形態では、上記順番情報に従って、筐体管理モジュールコントローラ部１１１が複数の電子機器１２０うちの１つを順次選択し、該選択された電子機器１２０にバッテリ部１１２が電力を供給し、当該電子機器１２０内の電子機器管理部１２２が監視対象１２１の動作情報を収集している。
【００５３】
一方、本実施形態では、筐体管理モジュールコントローラ部１１１は全ての電子機器１２０にバッテリ部１１２から電力を同時に供給し、全ての電子機器１２０において、電子機器管理部１２２による各監視対象１２１の動作情報の収集が一斉に行なわれる。
【００５４】
次に、本実施形態の動作について図３のフローチャートを参照して説明する。
【００５５】
本実施形態では、筐体記憶部１１４から順番情報を読み出し、該順番情報に基づき処理すべき電子機器１２０を選択するステップＳ１０３の処理は存在しない。
【００５６】
また、ステップＳ１０４では、筐体管理モジュールコントローラ部１１１は、バッテリ部１１２に対し全ての電子機器１２０の電子機器管理部１２２、監視対象１２１および電子機器記憶部１２４への電力の供給を開始するよう指示し、バッテリ部１１２はその指示に応答して電力の供給を開始する。
【００５７】
さらに、ステップ１０５において、電子機器管理部１２２は、監視対象１２１の状態を確認し、確認結果を動作情報として電子機器記憶部１２４に格納すると共に、その動作情報を筐体管理モジュールコントローラ部１１１に送信するが、その際には、電子機器１２０の識別情報（各電子機器を識別するための固有の情報）も同時に送信し、送信した動作情報がどの電子機器１２０からの動作情報かを識別できるようにする。そして、筐体管理モジュールコントローラ部１１１は受信した動作情報および識別情報を筐体記憶部１１４に格納する
また、本実施形態では、複数の電子機器１２０を全て処理したかどうかの判断をするステップＳ１０６の処理も存在しない。
【００５８】
以上、説明したように、本実施形態では、第１の実施形態における効果に加えて、管理者が順番情報を管理端末１５０の入力手段から事前に入力し、筐体記憶部１１４に格納するという手間を省略でき、また、全ての監視対象１２１の動作情報の収集・確認にかかる時間を短縮できるという効果がある。
【００５９】
その理由は、全ての電子機器１２０にバッテリ部１１２から電力を同時に供給し、全ての電子機器１２０において、監視対象１２１の動作情報の収集・確認処理を一斉に行うからである。
【００６０】
［第３の実施形態］
次に、本発明の第３の実施形態について説明する。
【００６１】
なお、本実施形態についての以下の説明では、第１および第２の実施形態の構成要素および動作と同一のそれらについてはその説明を省略する。
【００６２】
本実施形態の構成では、図１に示す第１および第２の実施形態の構成で設けられているバッテリ部１１２が設けられていない点が第１および第２の実施形態と異なる。
【００６３】
さらに、本実施形態では、電源部１３０は各電子機器１２０が動作停止状態にある場合にも動作を継続できるよう構成されている点も第１および第２の実施形態と異なる。
【００６４】
次に、本実施形態の動作について説明する。
【００６５】
まず、管理者が、各電子機器１２０の使用を終了し、各電子機器１２０の動作停止を指示すると、各電子機器１２０は動作停止処理を実行し、動作停止処理の完了時に、電源部１３０に動作が停止した旨の動作停止情報を送信する。
【００６６】
電源部１３０は、全ての電子機器１２０から動作停止信号を受信すると、第１または第２の実施形態におけるバッテリ部１１２からの電力の供給と同様の電力の供給を各電子機器に行い、第１または第２の実施形態と同様の動作により、各電子機器内の各監視対象１２１の動作情報の収集が行われる。
【００６７】
全ての動作情報の収集が完了し、それらの動作情報が管理端末１５０に送信されると、電源部１３０は動作を停止する。
【００６８】
以上、本実施形態では、バッテリ部からの電力の供給なしに、電子機器１２０の動作停止後に、電子機器１２０内の監視対象１２１の動作状態を確認できるという効果がある。
【００６９】
その理由は、電源部１３０を、電子機器１２０の動作が停止した後も動作できるよう構成したからである。
【符号の説明】
【００７０】
１００    筐体
１１０    筐体管理モジュール
１１１    筐体管理モジュールコントローラ部
１１２    バッテリ部
１１４    筐体記憶部
１１５    情報伝送部
１２０    電子機器
１２１    監視対象
１２２    電子機器管理部
１２４    電子機器記憶部
１３０    電源部
１５０    管理端末
１６０    ネットワーク
２００    筐体
２１０    筐体管理モジュール
２１１    筐体管理モジュールコントローラ部
２２０    電子機器
２２１    監視対象
２２２    電子機器管理部
２２４    電子機器記憶部
【図１】
2014108002.tif 000003
【図２】
2014108002.tif 000004
【図３】
2014108002.tif 000005